(57)【要約】【課題】器具の構成が簡便で器具のコストを抑制させることができると共に、操作が簡便で測定の手間を軽減させることができ、且つ、雪の密度を正確に測定することができるようにする。【解決手段】軸心方向の両端が開口した円筒状をなすと共に一方の開口端部２ａに配置された雪切断部材２ｂを備える本体２と、軸心方向の一端が開口していると共に開口面３ａが雪切断部材２ｂに向けられて本体２の内部に摺動可能に装填される雪採取容器３と、該雪採取容器３の位置を保持するための容器保持機構４と、雪採取容器３との間で密封性が確保された状態で雪採取容器３の開口に嵌められる蓋５とを有するようにした。【選択図】図２
2014219303.tif 000002
【特許請求の範囲】
【請求項１】
軸心方向の両端が開口した円筒状をなすと共に一方の開口端部に配置された雪切断部材を備える本体と、軸心方向の一端が開口していると共に開口面が前記雪切断部材に向けられて前記本体の内部に摺動可能に装填される雪採取容器と、該雪採取容器の位置を保持するための容器保持機構とを有する雪の密度測定器具の前記雪採取容器内に、前記雪切断部材を備える前記一方の開口端部から積雪に差し込まれた前記本体を軸回転させることによって前記雪切断部材が回転して前記本体内の雪と前記本体の外側の雪とを切断して雪試料を採取するステップと、前記雪採取容器との間で密封性が確保された状態で前記雪採取容器の開口に嵌められる前記蓋を前記雪採取容器の開口に嵌めた状態で前記雪採取容器内の前記雪試料を融かして水にするステップと、前記雪採取容器内の水の高さを計測するステップと、前記雪採取容器内の水の高さを前記雪採取容器内側の雪試料が充填される空間の軸心方向寸法で割って前記雪試料の密度を算出するステップとを有することを特徴とする雪の密度測定方法。
【請求項２】
前記雪採取容器及び前記蓋として35mmフィルム用の透明若しくは半透明フィルムケースを用いることを特徴とする請求項１記載の雪の密度測定方法。
【請求項３】
軸心方向の両端が開口した円筒状をなすと共に一方の開口端部に配置された雪切断部材を備える本体と、軸心方向の一端が開口していると共に開口面が前記雪切断部材に向けられて前記本体の内部に摺動可能に装填される雪採取容器と、該雪採取容器の位置を保持するための容器保持機構と、前記雪採取容器との間で密封性が確保された状態で前記雪採取容器の開口に嵌められる蓋とを有し、前記雪切断部材を備える前記一方の開口端部から積雪に差し込まれた前記本体を軸回転させることによって前記雪切断部材が回転して前記本体内の雪と前記本体の外側の雪とを切断して前記雪採取容器内に雪試料を採取するステップと、前記雪採取容器の開口に前記蓋を嵌めた状態で前記雪採取容器内の前記雪試料を融かして水にするステップと、前記雪採取容器内の水の高さを計測するステップと、前記雪採取容器内の水の高さを前記雪採取容器内側の雪試料が充填される空間の軸心方向寸法で割って前記雪試料の密度を算出するステップとによる雪試料の密度の測定に用いられることを特徴とする雪の密度測定器具。
【請求項４】
前記雪採取容器及び前記蓋として35mmフィルム用の透明若しくは半透明フィルムケースを用いることを特徴とする請求項３記載の雪の密度測定器具。
【発明の詳細な説明】
【技術分野】
【０００１】
本発明は、雪の密度測定方法及び密度測定器具に関する。さらに詳述すると、本発明は、携帯可能な器具を用いて雪の密度を測定する技術に関する。
【背景技術】
【０００２】
雪の密度を測定する従来の器具としては、例えば、図９に示すように、一定体積の雪を採取し秤本体１１０に差し込む差込み突起１０１を有する密度サンプラー１００と、該密度サンプラー１００の差込み突起１０１を受ける差込み突起受け口１１１を有する秤本体１１０とからなり、密度サンプラー１００は、水平方向に動いて雪を筒状に切り取る水平カッター１０２と、該水平カッター１０２が筒状に切り取った雪を鉛直方向に切り取る鉛直カッター１０３とを有し、一方、秤本体１１０は、密度サンプラー１００の重みを感じる部分に設けられた圧電素子１１２と、該圧電素子１１２の出力から密度サンプラー１００の重さを算出して表示する表示部１１３と、風袋引き演算処理を実行する風袋引き演算処理部(図示されていない)と、各部に必要な電源を供給する電源供給部(図示されていない)と、電源投入ボタン１１４と、風袋引きボタン１１５と、簡易水準器１１６とを備えるものがある（特許文献１）。
【先行技術文献】
【特許文献】
【０００３】
【特許文献１】特開２０１１−１３３２８１号
【発明の概要】
【発明が解決しようとする課題】
【０００４】
しかしながら、特許文献１の雪の密度測定器では、雪の重さを測定するための圧電素子や測定器のうち電力を必要とする各部に電源を供給する電源供給部が必要であり、装置が複雑化してコストが高くなってしまうという問題や、また、電源が切れてしまった場合には測定を行うことができないという問題がある。そして、これらのために、特許文献１の雪の密度測定器は汎用性が高いとは言えない。
【０００５】
そこで、本発明は、電力を必要とする仕組みを有さず、したがって電源も必要としないので、器具の構成が簡便で器具のコストを抑制させることができると共に、操作が簡便で測定の手間を軽減させることができ、且つ、雪の密度を正確に測定することができる雪の密度測定方法及び密度測定器具を提供することを目的とする。
【課題を解決するための手段】
【０００６】
かかる目的を達成するため、請求項１記載の雪の密度測定方法は、軸心方向の両端が開口した円筒状をなすと共に一方の開口端部に配置された雪切断部材を備える本体と、軸心方向の一端が開口していると共に開口面が雪切断部材に向けられて本体の内部に摺動可能に装填される雪採取容器と、該雪採取容器の位置を保持するための容器保持機構とを有する雪の密度測定器具の雪採取容器内に、雪切断部材を備える一方の開口端部から積雪に差し込まれた本体を軸回転させることによって雪切断部材が回転して本体内の雪と本体の外側の雪とを切断して雪試料を採取するステップと、雪採取容器との間で密封性が確保された状態で雪採取容器の開口に嵌められる蓋を雪採取容器の開口に嵌めた状態で雪採取容器内の雪試料を融かして水にするステップと、雪採取容器内の水の高さを計測するステップと、雪採取容器内の水の高さを雪採取容器内側の雪試料が充填される空間の軸心方向寸法で割って雪試料の密度を算出するステップとを有するようにしている。
【０００７】
また、請求項３記載の雪の密度測定器具は、軸心方向の両端が開口した円筒状をなすと共に一方の開口端部に配置された雪切断部材を備える本体と、軸心方向の一端が開口していると共に開口面が雪切断部材に向けられて本体の内部に摺動可能に装填される雪採取容器と、該雪採取容器の位置を保持するための容器保持機構と、雪採取容器との間で密封性が確保された状態で雪採取容器の開口に嵌められる蓋とを有し、雪切断部材を備える一方の開口端部から積雪に差し込まれた本体を軸回転させることによって雪切断部材が回転して本体内の雪と本体の外側の雪とを切断して雪採取容器内に雪試料を採取するステップと、雪採取容器の開口に蓋を嵌めた状態で雪採取容器内の雪試料を融かして水にするステップと、雪採取容器内の水の高さを計測するステップと、雪採取容器内の水の高さを雪採取容器内側の雪試料が充填される空間の軸心方向寸法で割って雪試料の密度を算出するステップとによる雪試料の密度の測定に用いられるようにしている。
【０００８】
したがって、これらの雪の密度測定方法及び密度測定器具によると、密度測定器具が電力を必要とする仕組みを有していないので、電源を必要とすることなく雪試料が採取される。
【０００９】
また、これらの雪の密度測定方法及び密度測定器具によると、本体を軸回転させることによって雪切断部材を回転させて本体内の雪と本体外部の積雪とを切断して雪採取容器内に隙間なく完全に充填された雪試料が採取される。また、雪試料の採取を行う現地における作業が容易・簡便であり、細かい作業や高度の技術が必要とされる場合のような誤差の発生が回避される。
【００１０】
また、本発明の雪の密度測定方法及び密度測定器具によると、本体（雪採取容器）内に取り込んだ雪と本体外部の積雪とが切断されるので、本体及び雪採取容器を積雪から引き抜く際の試料の乱れが回避されると共に雪採取容器内に隙間なく完全に充填された雪試料が確実に採取される。
【００１１】
また、本発明の雪の密度測定方法及び密度測定器具によると、雪試料の採取とその雪試料の密度の測定とにおいて試料を移し替えることが必要とされないので、試料を移し替える手間がなく、さらに、試料を移し替えることによる測定精度の低下が回避される。
【００１２】
また、本発明の雪の密度測定方法及び密度測定器具によると、特に、雪試料を多数採取してそれぞれの密度を測定する場合の作業の手間を大幅に軽減することができるので、様々な場所の多数の試料のデータを用いることによって多様な分析を行うことが容易になり、また、多数の試料のデータを用いることによって局所的なばらつきの影響が排除される。
【００１３】
また、本発明の雪の密度測定方法及び密度測定器具によると、雪の密度の測定において必要とされる計測は水位計測のみであると共に密度の算定方法も簡便であり、特殊な機器や設備並びに特別の知識や技術を用いることなく雪試料の密度を測定することができるので、雪密度の測定にかかるコストが低減し、また、手間が軽減する。
【００１４】
本発明は、雪採取容器及び蓋として35mmフィルム用の透明若しくは半透明フィルムケースを用いるようにしても良い。35mmフィルム用の透明・半透明フィルムケースは、容器と蓋との間の密封性，容器自体及び蓋自体の水密性・気密性，内部容量の大きさ，熱膨張率の小ささ，透明性の全てにおいて本発明の雪採取容器及び蓋として好適である。
【発明の効果】
【００１５】
本発明の雪の密度測定方法及び密度測定器具によれば、密度測定器具が電力を必要とする仕組みを有しておらず、電源を必要とすることなく雪試料を採取することができるので、密度測定器具の構成を簡便にして器具のコストを抑制させることが可能になり、また、作業中に電源が切れてしまって測定を行うことができないという不都合を回避することが可能になり、延いては、雪密度の測定技術としての汎用性を向上させることが可能になる。
【００１６】
そして、本発明の雪の密度測定方法及び密度測定器具によれば、本体を軸回転させることによって雪切断部材を回転させて本体内の雪と本体外部の積雪とを切断して雪採取容器内に隙間なく完全に充填された雪試料が採取されるので、雪試料の採取及び雪試料の密度測定のための作業を簡略化して手間を軽減し且つ作業時間を短縮することが可能になる。また、雪試料の採取を行う現地における作業が容易・簡便であり、細かい作業や高度の技術が必要とされる場合のような誤差の発生を回避することができるので、雪の密度測定の信頼性の向上を図ることが可能になる。そして、雪密度の測定技術としての汎用性の向上を図ることが可能になる。
【００１７】
しかも、本発明の雪の密度測定方法及び密度測定器具によれば、本体（雪採取容器）内に取り込んだ雪と本体外部の積雪とを切断することができるので、本体及び雪採取容器を積雪から引き抜く際の試料の乱れを回避することができると共に雪採取容器内に隙間なく完全に充填された雪試料を確実に採取することができ、採取する雪試料の初期の体積の精度を向上させることが可能になり、延いては、雪試料の密度の測定精度を向上させることが可能になる。
【００１８】
また、本発明の雪の密度測定方法及び密度測定器具によれば、雪試料の採取とその雪試料の密度の測定とにおいて試料を移し替えることが必要とされないので、試料を移し替える手間がなく、さらに、試料を移し替えることによる測定精度の低下を回避することができ、作業の簡略化や作業時間の短縮が可能になり、さらに、雪試料の密度の測定精度を向上させることが可能になる。
【００１９】
さらに、本発明の雪の密度測定方法及び密度測定器具によれば、特に、雪試料を多数採取してそれぞれの密度を測定する場合の作業の手間を大幅に軽減することができるので、様々な場所の多数の試料のデータを用いることによって多様な分析を行うことが容易に可能になったり、多数の試料のデータを用いることによって局所的なばらつきの影響を排除してデータ精度を向上させることが容易に可能になったりする。
【００２０】
また、本発明の雪の密度測定方法及び密度測定器具によれば、雪の密度の測定において必要とされる計測は水位計測のみであると共に密度の算定方法も簡便であり、特殊な機器や設備並びに特別の知識や技術を用いることなく雪試料の密度を測定することができるので、雪密度の測定にかかるコストを低減すると共に手間を軽減することが可能になり、雪密度の測定技術としての汎用性の向上を図ることが可能になる。
【００２１】
また、本発明の雪の密度測定方法及び密度測定器具は、雪採取容器及び蓋として35mmフィルム用の透明若しくは半透明フィルムケースを用いるようにしても良く、この場合には、35mmフィルム用の透明・半透明フィルムケースは、容器と蓋との間の密封性，容器自体及び蓋自体の水密性・気密性，内部容量の大きさ，熱膨張率の小ささ，透明性の全てにおいて本発明の雪採取容器及び蓋として好適であるので、既存の物品を利用することによって好適な形態を容易に実現することが可能になる。
【図面の簡単な説明】
【００２２】
【図１】本発明の雪の密度測定方法の実施形態の一例を説明するフローチャートである。
【図２】本発明の雪の密度測定器具の実施形態の一例を説明する図であり、本体の周壁の一部を軸心方向に切り取った一部切り欠き斜視図である。
【図３】実施形態の雪の密度測定器具の縦断面図である。
【図４】実施形態の雪採取容器の蓋を嵌めた状態の縦断面図である。
【図５】実施形態の本体の係合孔と係止部の係合突起とを示す一部拡大側面図である。
【図６】実施形態の雪採取容器内に雪試料が充填された状態を示す縦断面図である。
【図７】実施形態の雪採取容器内の雪が融けて水になった状態を示す縦断面図である。
【図８】雪の密度測定器具の本体の雪切断部材の他の形態を示す図であり、本体の周壁の一部を軸心方向に切り取った一部切り欠き拡大斜視図である。
【図９】従来の雪の密度測定器を示す斜視図である。（Ａ）は外観を示す図である。（Ｂ）は鉛直カッターを外した状態を示す図である。
【発明を実施するための形態】
【００２３】
以下、本発明の構成を図面に示す実施の形態の一例に基づいて詳細に説明する。
【００２４】
図１から図８に、本発明の雪の密度測定方法及び密度測定器具の実施形態の一例を示す。本実施形態の雪の密度測定方法は、軸心方向の両端が開口した円筒状をなすと共に一方の開口端部２ａに配置された雪切断部材２ｂを備える本体２と、軸心方向の一端が開口していると共に開口面３ａが雪切断部材２ｂに向けられて本体２の内部に摺動可能に装填される雪採取容器３と、該雪採取容器３の位置を保持するための容器保持機構４とを有する雪の密度測定器具１の雪採取容器３内に、雪切断部材２ｂを備える一方の開口端部２ａから積雪に差し込まれた本体２を軸回転させることによって雪切断部材２ｂが回転して本体２内の雪と本体２の外側の雪とを切断して雪試料１１を採取するステップ（Ｓ１）と、雪採取容器３との間で密封性が確保された状態で雪採取容器３の開口に嵌められる蓋５を雪採取容器３の開口に嵌めた状態で雪採取容器３内の雪試料１１を融かして水にするステップ（Ｓ２）と、雪採取容器３内の水の高さＬsを計測するステップ（Ｓ３）と、雪採取容器３内の水の高さＬsを雪採取容器３内側の雪試料が充填される空間の軸心方向寸法Ｌoで割って雪試料１１の密度を算出するステップ（Ｓ４）とを有する。
【００２５】
また、本実施形態の雪の密度測定器具１は、軸心方向の両端が開口した円筒状をなすと共に一方の開口端部２ａに配置された雪切断部材２ｂを備える本体２と、軸心方向の一端が開口していると共に開口面３ａが雪切断部材２ｂに向けられて本体２の内部に摺動可能に装填される雪採取容器３と、該雪採取容器３の位置を保持するための容器保持機構４と、雪採取容器３との間で密封性が確保された状態で雪採取容器３の開口に嵌められる蓋５とを有し、雪切断部材２ｂを備える一方の開口端部２ａから積雪に差し込まれた本体２を軸回転させることによって雪切断部材２ｂが回転して本体２内の雪と本体２の外側の雪とを切断して雪採取容器３内に雪試料１１を採取するステップ（Ｓ１）と、雪採取容器３の開口に蓋５を嵌めた状態で雪採取容器３内の雪試料１１を融かして水にするステップ（Ｓ２）と、雪採取容器３内の水の高さＬsを計測するステップ（Ｓ３）と、雪採取容器３内の水の高さＬsを雪採取容器３内側の雪試料が充填される空間の軸心方向寸法Ｌoで割って雪試料１１の密度を算出するステップ（Ｓ４）とによる雪試料１１の密度の測定に用いられるものである。
【００２６】
本体２は、軸心方向の両端が開口した円筒状に形成され、一方の開口端部２ａに開口面２ｄと平行に配置された雪切断部材２ｂを備え、他方の開口端部２ｃに係合孔２ｆが形成される。本体２の素材としては例えばステンレスや合成樹脂などが考えられる。なお、本体２を例えばステンレスのような硬質の素材で形成することにより、高密度の硬い雪でも採取することができ、広範囲に密度を測定することが可能になる。
【００２７】
本体２の周壁の一方の開口端部２ａ部分の内周面には、雪採取容器３の開口端が当接する環状の段差が形成される。
【００２８】
本体２の雪切断部材２ｂは、本体２の開口面２ｄに接して若しくはその付近に、長手方向の中央が本体２の開口面２ｄの中心位置若しくはその近傍を通るように配置され、長手方向の両端が本体２の周壁の内周面（具体的には、開口端部２ａ部分の環状の段差の内周面）に取り付けられる。
【００２９】
雪切断部材２ｂは、本体２が軸回転することにより、長手方向が本体２の軸心方向と交叉しながら回転し、本体２内に取り込まれた雪と本体２の外側の積雪とを切断する。
【００３０】
雪切断部材２ｂは、雪採取容器３を装填した本体２の開口端部２ａ側が積雪に差し込まれて本体２内部の雪採取容器３内に雪試料１１が取り込まれる際に障害物にできる限りならないと共に、長手方向が本体２の軸心方向と交叉しながら回転することによって本体２内に取り込まれた雪と本体２の外側の積雪とを切断可能なものであれば良い。具体的には、例えばステンレス板や合成樹脂板等の長方形薄板状のもの（図１，図２）や、例えばピアノ線等の糸状のもの（図８）などが用いられる。
【００３１】
なお、薄板状の雪切断部材２ｂを用いる場合には、本体２が積雪に差し込まれて本体２内部の雪採取容器３内に雪試料１１が取り込まれる際に障害物にできる限りならないようにするため、薄板状の雪切断部材２ｂの面が本体２の軸心方向と平行になる、言い換えると、薄板状の短辺が本体２の軸心方向と平行になるようにすることが望ましい。
【００３２】
なお、本実施形態では雪切断部材２ｂの一辺が本体２の開口面２ｄに接して設けられているが、雪切断部材２ｂの配設位置は、これに限られるものではなく、本体２の内部に更に入り込んだ位置でも良い。
【００３３】
また、雪切断部材２ｂは、本実施形態のように一部材からなる一個であることに限られるものではなく、複数部材からなる一個であるようにしても良いし、複数個であるようにしても良い。
【００３４】
雪採取容器３は、積雪に差し込まれた際に内部に雪試料１１を取り込んで保持するためのものである。雪採取容器３は、軸心方向の一方の端部は開口し（開口面３ａ）、他方の端部は底板３ｂが設けられて閉口し、コップ状に形成される。
【００３５】
ここで、雪採取容器３と本体２とは、雪採取容器３が本体２に対して摺動可能に収納されるように、雪採取容器３の外寸と本体２の内寸とが調整されてそれぞれ形成される。
【００３６】
雪採取容器３は、雪試料１１が充填される内部空間が柱状であるように、即ち、内部空間の柱軸(軸心)直角断面の形状が柱軸(軸心)方向全体に亘って同一であるように形成される。
【００３７】
雪採取容器３の内部容量は、特定の大きさに限定されるものではなく、小さ過ぎると、雪試料の採取の際に取り扱い難くなって作業の円滑性が低下してしまったり、誤差が大きくなってしまったりすることが考えられ、一方で、大き過ぎると携帯に不向きになってしまったりすることが考えられ、これらの得失も考慮しながら適当に設定される。具体的には例えば２０〜５０〔cc〕程度の範囲で設定されることが考えられる。また、測定対象の雪の試料の採取可能量も考慮して適宜設定するようにしても良い。すなわち、測定対象の雪の試料が少量しか確保できないと見込まれる場合には例えば２０〜３０〔cc〕程度とし、一方、測定対象の雪の試料が或る程度の量確保できると見込まれる場合には例えば４０〜５０〔cc〕程度とすることなどが考えられる。
【００３８】
そして、本発明によると、雪採取容器３の内部容量が２０〜３０〔cc〕程度という少量でも雪の密度を測定することができる。このため、狭い場所の積雪や、積雪がそれほど多くなくても雪の密度を測定することができる。
【００３９】
一方、蓋５は、雪採取容器３の開口部に、雪採取容器３との間で密封性（水密性，気密性）が確保されると共に着脱可能に取り付けられる。
【００４０】
雪採取容器３や蓋５の素材は、雪採取容器３と蓋５との間で密封性（水密性，気密性）が確保されることに加え、雪採取容器３自体及び蓋５自体に水密性・気密性があれば、特定のものに限定されない。また、温度変化によって容器が膨張・収縮すると測定結果に誤差が生じてしまうので、雪採取容器３は、熱膨張率が小さい素材で、温度変化による体積変化が小さくなるように製作されることが好ましい。
【００４１】
雪採取容器３は、また、中に収容した雪試料１１が融けた後にその水の高さ(水位)を計測する際に水の高さ(水位)が外側から分かるようにするために透明若しくは半透明（無色透明でも有色透明でも構わない）であることが必要とされる。
【００４２】
ここで、雪採取容器３について、予め、雪採取容器３内部の雪試料１１が充填される空間の柱軸(軸心)方向寸法Ｌoを計測しておく。
【００４３】
なお、雪採取容器３及び蓋５として、写真用の35mmフィルムを収容しておくことに用いられる、ポリエチレン製やポリプロピレン製の透明若しくは半透明のフィルムケースが用いられ得る。35mmフィルム用の透明・半透明フィルムケースは、容器と蓋との間の密封性，容器自体及び蓋自体の水密性・気密性，内部容量の大きさ（因みに30 cc である），熱膨張率の小ささ，透明性の全てにおいて要件を満たすものであり、雪採取容器３及び蓋５として好適である。
【００４４】
雪採取容器３は、雪試料１１を採取する際には、蓋５が取り外され、開口面３ａが本体２の雪切断部材２ｂに向けられて本体２内に挿入され、本体２の開口端部２ａ部分の環状段差に開口端が当接した状態でセットされる。
【００４５】
なお、本体２の周壁の外周面には、本体２内にセットされた雪採取容器３の内部空間の底面の位置が分かるように、容器底面位置の印２ｅが付される。容器底面位置の印２ｅは、例えば、本体２の外側周面に、線をペイントするようにしても良いし、テープなどを貼り付けるようにしても良い。なお、容器底面位置の印２ｅは、本体２のいずれの方向からでも視認できるように、本体２の外側周面の全周に亘って付されていることが好ましい（ただし、全周に亘っていれば、間欠的であっても構わない）。
【００４６】
容器保持機構４は、押圧部４Ａと、係止部４Ｂと、これら押圧部４Ａと係止部４Ｂとの間に介在する付勢部４Ｃとからなる。
【００４７】
押圧部４Ａは、雪採取容器３がセットされた（言い換えると、装填された）本体２内に開口端部２ｃから挿入されて雪採取容器３の底板３ｂと当接する。
【００４８】
係止部４Ｂは、本体２の開口端部２ｃの位置に、本体２に対して着脱可能に位置固定される。本実施形態では、係止部４Ｂを本体２に対して着脱可能に位置固定する仕組みとして、係止部４Ｂに係合突起４ｄが設けられるとともに、本体２に係合孔２ｆが設けられる。
【００４９】
係合突起４ｄは、係止部４Ｂの側面から側方に突出するように設けられる。また、係合孔２ｆは、係合突起４ｄが入り込める幅で、本体２の開口端部２ｃの端から本体２の周壁を軸心方向に切り込む部分と、当該部分からＵターンして開口端部２ｃの端の手前まで進む行き止まり部分とからなる（すなわち、係合孔２ｆは、本体２の周壁にＪ字形に切り込まれて設けられる；図５参照）。
【００５０】
これら係合突起４ｄ及び係合孔２ｆにより、係合突起４ｄの位置が係合孔２ｆの軸心方向切り込み部分に合わせられた上で係止部４Ｂの一部が本体２の開口端部２ｃに差し込まれ、係止部４Ｂを回転させて係合突起４ｄが係合孔２ｆの行き止まり部分に嵌められて、係止部４Ｂが本体２に対して着脱可能に位置固定される。
【００５１】
付勢部４Ｃは、押圧部４Ａと係止部４Ｂとの間に介在し、常態よりも縮められた状態においてこれら押圧部４Ａと係止部４Ｂとを相互に引き離すように付勢するものである。本実施形態では、付勢部４Ｃとしてコイルばねが用いられる。なお、付勢部４Ｃは、常態よりも縮められた状態で伸長しようとする力を発揮するものであれば、コイルばねに限定されるものではなく、例えばゴムなどの弾性部材でも良い。
【００５２】
雪採取容器３の底板３ｂと当接する押圧部４Ａと、係合突起４ｄが係合孔２ｆに嵌められた係止部４Ｂとは、付勢部４Ｃによって相互に引き離されるように付勢される。本実施形態では、前記状態における押圧部４Ａと係止部４Ｂとの間の間隔よりも付勢部４Ｃとしてのコイルばねが長く形成され、押し縮められたコイルばねによって前記状態の押圧部４Ａと係止部４Ｂとが相互に引き離されるように付勢される。また、係止部４Ｂは本体２に対して位置固定される。これにより、雪採取容器３の底板３ｂが押圧部４Ａによって押され、雪採取容器３が、その開口端が本体２の開口端部２ａ部分の環状段差に当接するように押しつけられ位置固定されてセットされる。
【００５３】
なお、本実施形態では、雪採取容器３の位置固定のため、及び、雪採取容器３の周壁の開口側端面の平らな部分が積雪に直接当たって差し込まれることによる雪試料の乱れを防ぐため、本体２の周壁の雪切断部材２ｂを備える開口端部２ａ部分の内周面に雪採取容器３の周壁の厚さと同じ突出量の環状の段差が設けられている。また、本実施形態では、本体２の周壁の開口端部２ａ側端面の平らな部分が積雪に直接当たって差し込まれることによる雪試料の乱れを防ぐため、本体２の周壁の開口端部２ａ部分の外周面にテーパが付けられている。
【００５４】
そして、雪採取容器３が本体２に装填されて開口端部２ａ内周面の環状段差に当接すると共に容器保持機構４によって押されて位置固定された状態で、雪採取容器３の開口面３ａと本体２の開口面２ｄとの間に大きさΔＬの隙間があり、この隙間(ΔＬ)内に雪切断部材２ｂが配設される。この構成のため、本体２と共に雪切断部材２ｂ及び雪採取容器３が回転することにより、雪採取容器３の開口面３ａよりもΔＬだけ積み上がった状態の雪が採取される。なお、この隙間の大きさΔＬは、雪密度の計算に影響を与えるものではなく、特定の値に限定されるものではない。
【００５５】
なお、雪切断部材２ｂが、雪採取容器３の開口面３ａと本体２の開口面２ｄとの隙間全体に及ぶような本体２の軸心方向寸法を有している必要はない。具体的には、例えば図８に示すように、雪切断部材２ｂの、本体２の軸心方向寸法は、隙間の大きさΔＬよりも小さくても良い。
【００５６】
また、雪採取容器３を本体２内に装填するために雪採取容器３から取り外された蓋５が紛失してしまうことを防ぐために、係止部４Ｂの、本体２の開口端部２ｃから露出する端部を、蓋５が嵌められるように形成しても良い（図３参照）。
【００５７】
そして、本発明による雪の密度の測定においては、まず、密度測定器具１の本体２に装填された雪採取容器３内に雪試料１１を採取する（Ｓ１）。
【００５８】
具体的には、測定対象の積雪に、蓋５が取り外された雪採取容器３が装填された状態の本体２を、開口端部２ａから、容器底面位置の印２ｅを目印として、積雪表面が雪採取容器３の底板３ｂに接して雪採取容器３が雪で満たされるまで差し込む。
【００５９】
差し込んだ状態で、本体２を積雪に更に差し込んだり積雪から抜き出したりしないように（言い換えると、積雪表面に対する容器底面位置の印２ｅを変えないように）、本体２の軸心を中心として本体２を軸回転させる。このとき、本体２の開口端部２ａに取り付けられた雪切断部材２ｂが、その長手方向が本体２の軸心方向と直交しながら回転することにより、本体２内の雪と本体２の外側の積雪とが切断される。なお、本体２が軸回転する際には、同時に、雪採取容器３も軸回転する。
【００６０】
続いて、本体２を積雪から抜き出し、係合突起４ｄと係止孔２ｆとの係合を解除して容器保持機構４を本体２から取り外し、雪採取容器３を取り出す。このとき、雪採取容器３には、開口面３ａからΔＬだけ積み上がった状態で雪が充填されている（図６参照）。この開口面３ａからΔＬだけ積み上がった部分を削ぎ取ることにより、雪採取容器３内にすり切り一杯で隙間なく完全に充填された雪試料１１が得られる。なお、本発明では透明・半透明の雪採取容器３が用いられるので、雪採取容器３内に雪試料１１が隙間なく完全に充填されているか否かを直接見て確認することができる。そして、雪採取容器３に蓋５を嵌める。
【００６１】
なお、複数の雪試料１１を採取・収集する場合には、雪採取容器３に採取日時，場所，採取の具体的な箇所などを記載しておくようにしても良い。
【００６２】
次に、Ｓ１の処理によって雪採取容器３内に採取された雪試料１１を融解させて水にする（Ｓ２）。
【００６３】
雪試料１１の融解は、何らかの器具を使って熱を加えて強制的に行う必要はなく、蓋５を嵌めた雪採取容器３を例えば室温（１〜３５℃）に放置することによって行えば良い。もちろん、温水に浸すなどして熱を加えて融かすようにしても良い。
【００６４】
次に、Ｓ２の処理によって雪試料１１が融けて得られた水である雪採取容器３内の水１１wの高さを計測する（Ｓ３）。
【００６５】
具体的には、雪採取容器３を平らな台の上に置き、雪採取容器３内の水１１wの高さ(水位)Ｌsを定規によって計測する。
【００６６】
なお、本発明は、水が１ cm3 ＝１ g である状態を前提にしている。そして、水が１ cm3 ＝１ g（即ち、比重が１）である温度は４℃である。このため、Ｓ３の処理は雪採取容器３内の水１１wの温度が４℃から大きく離れていない温度で行われることが好ましいと言えるものの、Ｓ３の処理としての水１１wの高さＬsの計測を行う際の温度が測定精度に与える影響は極めて小さく、実用上は問題にならない。
【００６７】
具体的には、例えば２０℃でＳ３の計測を行う場合を考えると、４℃における水の密度が0.999973であるに対して２０℃における水の密度は0.998203であるので、４℃に対して２０℃では水の体積は0.999973／0.998203＝1.00177倍になる。したがって、４℃に対して２０℃では、雪採取容器３の底面積は変わらないと仮定すると、水面高さが1.00177倍高くなる。しかしながら、この誤差は、小数点以下３桁目の誤差であるので、実用的には無視し得るものであると評価される。
【００６８】
また、雪採取容器３が合成樹脂である場合には温度変化によって膨張・収縮するので、それによる測定誤差が生じ得ると言えるものの、温度変化による容器３の膨張・収縮が測定精度に与える影響は極めて小さく、実用上は問題にならない。
【００６９】
具体的には例えば、ポリエチレンの線膨張係数は１００〜１８０×１０-6／℃であるので、たとえ２０℃の温度差を想定しても、この温度差による容器３の膨張・収縮はごく僅かであり、容器３の膨張・収縮による誤差は実用的には無視し得るものであると評価される。なお、温度変化に伴う容器３の膨張・収縮による測定誤差は、容器３の素材を適切に選択することによって極めて小さくして殆ど無いようにすることができる。
【００７０】
次に、Ｓ３の処理によって得られた雪採取容器３内の水１１wの高さＬsを用いて雪試料１１の密度を算出する（Ｓ４）。
【００７１】
具体的には、予め計測された雪採取容器３内部の雪試料１１が充填される空間の柱軸(軸心)方向寸法Ｌoと、Ｓ３の処理において計測された雪採取容器３内の水１１wの高さＬsとを用い、数式１により、雪採取容器３内に採取された雪試料１１の密度ρを算出する。
（数１）  ρ＝Ｌs／Ｌo
ここに、ρ：雪密度〔ｇ／cm3〕，
Ｌs：雪採取容器内の雪試料が融けたときの水の高さ〔cm〕，
Ｌo：雪採取容器の内側空間の柱軸(軸心)方向寸法〔cm〕
をそれぞれ表す。
【００７２】
以上の処理により、測定対象の積雪の密度ρが求められる。
【００７３】
なお、本発明によれば、Ｓ４の処理が終わった後の、融けて水１１wになった状態の雪試料をそのまま雪採取容器３に入れて保管しておくこともできる。具体的には、採取日時，場所，採取の具体的な箇所などを雪採取容器３に直接記載し、試料採取の記録及び試料そのものを保管しておくこともできる。
【００７４】
以上のように構成された本発明の雪の密度測定方法及び密度測定器具によれば、本体２を軸回転させることによって雪切断部材２ｂを回転させて本体２内の雪と本体２外部の積雪とを切断して雪採取容器３内に隙間なく完全に充填された雪試料１１を採取することができ、雪試料１１の採取及び雪試料１１の密度測定のための作業を簡略化して手間を軽減し且つ作業時間を短縮することが可能になる。また、雪試料１１の採取を行う現地における作業が容易・簡便であり、細かい作業や高度の技術が必要とされる場合のような誤差の発生を回避することができるので、雪の密度測定の信頼性の向上を図ることが可能になる。そして、雪密度の測定技術としての汎用性の向上を図ることが可能になる。
【００７５】
また、本発明の雪の密度測定方法及び密度測定器具によれば、雪の密度の測定において必要とされる計測は水位計測のみであると共に密度の算定方法も簡便であり、特殊な機器や設備並びに特別の知識や技術を用いることなく雪試料の密度を測定することができるので、雪密度の測定にかかるコストを低減すると共に手間を軽減することが可能になり、雪密度の測定技術としての汎用性の向上を図ることが可能になる。
【００７６】
なお、上述の形態は本発明の実施の形態として好適な形態の一例ではあるものの本発明の実施の形態が上述の形態に限定されるものではなく、本発明の要旨を逸脱しない範囲において本発明は種々変形実施可能である。例えば、上述の実施形態では押圧部４Ａと係止部４Ｂとこれら押圧部４Ａ及び係止部４Ｂの間に介在する付勢部４Ｃとからなる仕組みを容器保持機構４として用いるようにしているが、雪採取容器３を押して位置固定するものであれば容器保持機構４の構成は上述の形態に限られるものではない。具体的には例えば、雪採取容器３側の押圧部（配置位置は上述の形態の４Ａ）と、本体２の開口端部２ｃ側（即ち、雪切断部材２ｂを備える開口端部２ａとは反対側）の係止部（配置位置は上述の形態の４Ｂ）と、これら押圧部と係止部との間の、非弾性で変形しない材料で形成された結合部材（配置位置は上述の形態の４Ｃ）とから構成し、さらに、係止部の側周面に雄ねじを形成すると共に本体２の開口端部２ｃの内周面に雌ねじを形成し、本体２に雪採取容器３を装填した状態で押圧部側から本体２内に挿入して開口端部２ｃの雌ねじと係止部の雄ねじとを噛み合わせてねじ込むことにより、押圧部で底板３ｂを押して雪採取容器３を押して位置固定するようにしても良い。なおこの場合には、開口端部２ｃに係合孔２ｆを形成する必要はない。
【００７７】
また、上述の形態では、本体２の周壁の開口端部２ａ部分の内周面に環状段差を形成し、当該環状段差に開口端を当接させて雪採取容器３を位置固定するようにしているが、この構成に限られるものではなく、本体２の周壁内周面に環状段差を形成することなく、雪切断部材２ｂに開口端を当接させて雪採取容器３を位置固定するようにしても良い。
【符号の説明】
【００７８】
１  雪の密度測定器具
２  本体
２ａ  開口端部
２ｂ  雪切断部材
３  雪採取容器
３ａ  開口面
４  容器保持機構
５  蓋
【図１】
2014219303.tif 000003
【図２】
2014219303.tif 000004
【図３】
2014219303.tif 000005
【図４】
2014219303.tif 000006
【図５】
2014219303.tif 000007
【図６】
2014219303.tif 000008
【図７】
2014219303.tif 000009
【図８】
2014219303.tif 000010
【図９】
2014219303.tif 000011